(57)【特許請求の範囲】
【請求項１】
任意の波長領域における光を選択的に反射および透過させる機能を有する波長フィルタと、光導波路と、光ファイバを平行に整列固定させて成る光ファイバアレイブロックとから構成される光波長多重伝送モジュールにおいて、前記光ファイバアレイブロックと前記光導波路間に少なくとも１本の前記光ファイバから入射した光が前記波長フィルタで反射し、その反射された光を他の前記光ファイバに結合させるための一個のレンズと、入出力用光ファイバ側のみに設けた無反射コート膜と、前記波長フィルタを透過した光を伝搬するための光導波路とが形成されていることを特徴とする光波長多重伝送モジュール。
【請求項２】
任意の波長領域における光を選択的に反射および透過させる機能を有する波長フィルタと、光導波路と、光ファイバを平行に整列固定させて成る光ファイバアレイブロックとから構成される光波長多重伝送モジュールにおいて、少なくとも１本の前記光ファイバから入射した光が他の光ファイバに結合するように角度調整して配置された波長フィルタと、入出力用光ファイバ側のみに設けた無反射コート膜と、前記波長フィルタを透過した光を伝搬するための光導波路とが形成されていることを特徴とする光波長多重伝送モジュール。
【請求項３】
前記波長フィルタは、前記光導波路の端面に固着されていることを特徴とする請求項１または２記載の光波長多重伝送モジュール。
【発明の詳細な説明】
【０００１】
【発明の属する技術分野】
本発明は、各種光通信ネットワーク上で用いられる光波長多重伝送モジュールに関し、特に、波長合分波機能かつ／或いは光分岐結合機能を有する光波長多重伝送モジュールに関する。
【０００２】
【従来の技術】
近年、公衆通信網におけるマルチメディア化に向けて光伝送技術を導入する計画が進められているが、従来の音声を中心とした狭帯域サービスに加え、映像等の広帯域サービスの提供を行うために、波長多重を利用した双方向光伝送が不可欠となっている。この実現には、光信号を分岐、結合する機能や異なる波長の光信号を分離、多重化する機能を有するモジュールの開発が必須であり、特に量産化、低コスト化はモジュールを実用化するための鍵となっている。従来の波長合分波機能及び光分岐結合機能を有する光波長多重伝送モジュール例として図３に示されるものがある。光回路は方向性結合器６及びＹ分岐器７から構成され、光導波路基板８上に形成されている。光導波路基板８の前後端面には第１ポート１１、第２ポート１２、第３ポート１３、第４ポート１４が設けられ、これらはそれぞれ入出力用光ファイバ１、出力用光ファイバ２、発光素子３、受光素子４と接続する。波長λ１、λ２の多重化された入力光信号が第１ポート１１から入射すると、方向性結合器６によって波長分離され、波長λ１の光はそのまま第２ポート１２から出射する。波長λ２の光はＹ分岐器７において分配され、そのうち第４ポート１４から出射した光は、受光素子４によって受光される。一方、発光素子３から第３ポート１３を介して入射した波長λ２の光はそのまま第１ポート１１から出射する。
【０００３】
【発明が解決しようとする課題】
上記の従来における光波長多重伝送モジュールによれば、波長λ１、λ２の多重化入力信号の分離と波長λ２の信号の双方向伝送が可能となるが、入出力用光ファイバ及び出力用光ファイバと光導波路基板との接続に際して光軸等のアライメントを個別かつ高精度に行う必要が生じ、それゆえ実装コスト高につながりやすいといった問題点があった。本発明の目的は、従来の光波長多重伝送モジュールにおける上記の問題に鑑みて為されたものであり、複雑かつ多重化した構成部品から成る光波長多重伝送モジュールにおいても実装が容易であり、量産化及び低コスト化が可能な光波長多重伝送モジュールを提供することにある。
【０００４】
【課題を解決するための手段】
上記問題点に鑑みて本発明は、任意の波長領域における光を選択的に反射および透過させる機能を有する波長フィルタと、光導波路と、光ファイバを平行に整列固定させて成る光ファイバアレイブロックとから構成される光波長多重伝送モジュールにおいて、前記光ファイバアレイブロックと前記光導波路間に少なくとも１本の前記光ファイバから入射した光が前記波長フィルタで反射し、その反射された光を他の前記光ファイバに結合させるための一個のレンズと、入出力用光ファイバ側のみに設けた無反射コート膜と、前記波長フィルタを透過した光を伝搬するための光導波路とが形成されていることを特徴とするものである。
また、任意の波長領域における光を選択的に反射及び透過させる機能を有する波長フィルタと、光導波路と、光ファイバを平行に整列固定させて成る光ファイバアレイブロックとから構成される光波長多重伝送モジュールにおいて、少なくとも１本の前記光ファイバから入射した光が他の光ファイバに結合するように角度調整して配置された波長フィルタと、入出力用光ファイバ側のみに設けた無反射コート膜と、前記波長フィルタを透過した光を伝搬するための光導波路とが形成されていることを特徴とするものである。
さらに、前記波長フィルタは、前記光導波路の端面に固着されていることを特徴とするものである。
【０００７】
【発明の実施の形態】
以下、本発明の発明の実施の形態について図面を用いて説明する。
図１は本発明に係わる光波長多重伝送モジュールの第１の実施例を示したものである。光導波路基板８上には、波長フィルタ５と接続する端面に形成された第５ポート１５から光導波路１６が形成され、Ｙ分岐器７を介してそれぞれ発光素子３、受光素子４に接続する第３ポート１３、第４ポート１４が形成されている。波長フィルタ５は、光導波路基板８の端面に接着剤等を用いて固着されており、波長λ１の光を反射させ波長λ２の光を透過させるフィルタリング特性を有する。入出力用光ファイバ１及び出力用光ファイバ２は光ファイバアレイブロック１０を用いて整列固定されており、入出力用光ファイバ１の端面には入力信号の端面反射を防止するための無反射コート膜１７が形成されている。
光ファイバアレイブロック１０と光導波路基板８間にはレンズ９が設けられており、入出力用光ファイバ１から入射した波長λ１、λ２の多重化された入力信号はレンズ９で波長フィルタ５の面上に集光され、波長λ１の光は波長フィルタ５において反射し、再びレンズ９を介して出力用光ファイバ２に結合する。一方、波長λ２の光は波長フィルタ５を透過し、第５ポート１５から入射して光導波路１６を伝搬する。波長λ２の光はさらにＹ分岐器７におい分配され、このうち第４ポート１４を介して出射した光は受光素子４によって受光される。一方、発光素子３から第３ポート１３を介して入射した波長λ２の光は、光導波路１６を伝搬して第５ポート１５から出射し、レンズ９を介して入出力用光ファイバ１に結合する。
本実施例では、光ファイバアレイブロック１０を用いることによって、入出力用光ファイバ１及び出力用光ファイバ２と光導波路基板８との接続に際して光軸等のアライメントを個別に行う必要がなく、レンズ９を介して一括で結合させることが可能となる。また上記実施例では、波長フィルタ５を光導波路基板８の端面に固着させることにより、波長フィルタ５の高精度な位置決め等を行う必要が省ける。
図２は本発明に係わる光波長多重伝送モジュールの第２の実施例を示したものである。波長フィルタ５は光導波路基板８の端面に固着され、入出力用光ファイバ１から入射し波長フィルタ５で反射した波長λ１の光が、出力用光ファイバ２に結合するように角度調整されている。一方、波長フィルタ５を透過した波長λ２の光は、第５ポート１５から入射して光導波路１６を伝搬する。
【０００８】
本実施例によれば入出力用光ファイバ１及び出力用光ファイバ２と光導波路基板８を直接的に結合させることが可能であり、レンズ等を用いた光学系の設計や調整及び実装の省略或いは簡略化が図れる。
【０００９】
【発明の効果】
以上、本発明によれば、入出力用光ファイバ及び出力用光ファイバと光導波路基板との接続に際して光軸等のアライメントを個別かつ高精度に行う必要がなく、光ファイバアレイブロックを用いることによって、レンズ等を介して一括で接続させることが可能となる。また、波長フィルタを光導波路端面に固着させることによって、波長フィルタの高精度な位置決めや角度固定を行う必要が省ける。したがって、量産化及び低コスト化が可能な光波長多重伝送モジュールが実現できる。
【図面の簡単な説明】
【図１】本発明による第１実施例を示す平面図。
【図２】本発明による第２実施例を示す平面図。
【図３】従来の光波長多重伝送モジュール例を示す平面図。
【符号の説明】
１…入出力用光ファイバ
２…出力用光ファイバ
３…発光素子
４…受光素子
５…波長フィルタ
６…方向性結合器
７…Ｙ分岐器
８…光導波路基板
９…レンズ
１０…光ファイバアレイブロック
１１…第１ポート
１２…第２ポート
１３…第３ポート
１４…第４ポート
１５…第５ポート
１６…光導波路
１７…無反射コート膜
【図１】
0003590222.tif 000002
【図２】
0003590222.tif 000003
【図３】
0003590222.tif 000004